(57)【要約】【課題】相互に連結されて建造物を覆うように配設される、矩形状の工事用防護シートにあって、シート本体の外側に延出するカバー部材を設けることなく、連結部分の隙間を低減し得る構成を提供する。【解決手段】工事用防護シート１の各辺に、シート本体２の周縁部に沿って複数の外側連結孔７を、各辺の全長に亘って配列するとともに、シート本体２の周縁部よりも所定幅だけ内側寄り位置に、前記外側連結孔７の配列と略平行となるように複数の内側連結孔８を、各辺の全長に亘って配列する。かかる構成によれば、隣接させる工事用防護シート１を、夫々の周縁部を重ねるように配置して、お互いの外側連結孔７と内側連結孔８を連結すれば、両者を隙間なく連結させることができる。【選択図】図２
2019199785.tif 000002
【特許請求の範囲】
【請求項１】
相互に連結されて建造物を覆うように配設される、矩形状の工事用防護シートであって、
各辺には、シート本体の周縁部に沿って配列された複数の外側連結孔と、シート本体の周縁部よりも所定幅だけ内側寄り位置に、前記外側連結孔の配列と略平行となるように配列された複数の内側連結孔とが設けられており、
前記外側連結孔及び前記内側連結孔は、各辺の略全長に亘って配列されていることを特徴とする工事用防護シート。
【請求項２】
各辺には、前記シート本体の周縁部の内側寄り位置に、各辺の略全長に亘る帯状連結体が、各辺と略平行に固着されており、
前記各帯状連結体は、前記シート本体の表面に固着された固着部と、前記固着部の側縁に連成されて、前記シート本体の表面から捲り上げることのできる非固着部とを備え、
前記内側連結孔は、前記非固着部に形成されることを特徴とする請求項１に記載の工事用防護シート。
【請求項３】
各辺に設けられる前記帯状連結体は、前記シート本体の片面にのみ固着されており、
対向する二辺に設けられる一対の前記帯状連結体は、一方が前記シート本体の一面に固着され、他方が前記シート本体の他面に固着されていることを特徴とする請求項２に記載の工事用防護シート。
【請求項４】
前記帯状連結体は、合成樹脂糸を編織してなるものであり、
前記帯状連結体の前記非固着部は、前記内側連結孔が長手方向に沿って連続的に配列された梯子状をなしていることを特徴とする請求項２又は請求項３に記載の工事用防護シート。
【請求項５】
前記外側連結孔は、前記シート本体の周縁部に配設されたハトメ金具により形成されていることを特徴とする請求項１乃至請求項４のいずれか１項に記載の工事用防護シート。
【発明の詳細な説明】
【技術分野】
【０００１】
本発明は、建造物の建設や修繕作業において、建造物の周囲に塗料等が飛散するのを防止するための工事用防護シートに関する。
【背景技術】
【０００２】
建造物の塗装作業においては、塗料の飛散等を防止するために、矩形状の工事用防護シートで建造物の塗装部の周囲をカバーすることが行われている。一般的に、かかる工事用防護シートは、縦横に連結して大型のシートにした状態で、建造物の周囲に張設される。ここで、従来の工事用防護シートには、外周縁に沿ってハトメ金具等による連結孔が複数形成されており、縦横に配列される工事用防護シートは、双方の工事用防護シートの連結孔に紐等を通して結束することにより相互連結される。
【０００３】
ここで、工事用防護シートを外周縁の連結孔で相互連結するだけの構成では、工事用防護シートの連結部分に比較的大きな隙間が生じ、当該隙間から塗料等が多く漏出してしまうため、漏出を抑制するために建造物を工事用防護シートで二重にカバーすることが行われている。これに対して、工事用防護シートを二重に設ける手間を省くために、シート本体の周縁の外側に延出して、工事用防護シートの連結部分の隙間を覆うカバー部材（ベロ）を配設することが提案されている（例えば、特許文献１）。
【先行技術文献】
【特許文献】
【０００４】
【特許文献１】特開２０１２−９５４２３号公報  図８
【発明の概要】
【発明が解決しようとする課題】
【０００５】
上記特許文献１に記載の工事用防護シートでは、カバー部材によって、工事用防護シート間の隙間を覆うようにしているが、カバー部材はシート本体の外側に延び出ているため、嵩張りやすく、収納や運搬の手間が大きいという問題がある。
【０００６】
本発明は、かかる現状に鑑みてなされたものであり、シート本体の外側に延出するカバー部材を設けることなく、連結部分の隙間を低減し得る工事用防護シートの提供を目的とする。
【課題を解決するための手段】
【０００７】
本発明は、相互に連結されて建造物を覆うように配設される、矩形状の工事用防護シートであって、各辺には、シート本体の周縁部に沿って配列された複数の外側連結孔と、シート本体の周縁部よりも所定幅だけ内側寄り位置に、前記外側連結孔の配列と略平行となるように配列された複数の内側連結孔とが設けられており、前記外側連結孔及び前記内側連結孔は、各辺の略全長に亘って配列されていることを特徴とする工事用防護シートである。
【０００８】
かかる構成にあっては、２枚の工事用防護シートについて、夫々の一辺の周縁部を所定幅だけ重ねるように配置して、一方の工事用防護シートの外側連結孔と、他方の工事用防護シートの内側連結孔とを紐等で連結させれば、２枚の工事用防護シートを隙間なく連結することができる。このため、かかる工事用防護シートを同様にして上下左右に連結させれば、工事用防護シート間に隙間が殆どない大型のシートを形成することができる。ここで、本発明の工事用防護シートは、外側に延出するカバー部材を備えていないため、上記特許文献１に記載の工事用防護シートに比べて、嵩張り難く、収納や運搬が容易であるという利点がある。また、上記特許文献１の構成では、工事用防護シートの四隅に生じる隙間については、カバー部材で覆い難いという問題があるが、本発明にあっては、隣接する工事用防護シートの周縁部を上下左右に重ねた状態で相互連結することができるため、工事用防護シートの四隅に隙間が生じない。
【０００９】
本発明に係る内側連結孔は、シート本体の周縁部よりも５〜２０ｃｍ内側寄り位置に配列することが望ましい。内側連結孔の配列が周縁部から５ｃｍ未満にあると、使用用途によっては、塗料等の漏出を完全に防止できない場合があり、周縁部から２０ｃｍ以上内側にあると、シート本体の重なり部分が過度に大きくなって、コスト高になるためである。
【００１０】
本発明にあっては、各辺には、前記シート本体の周縁部の内側寄り位置に、各辺の略全長に亘る帯状連結体が、各辺と略平行に固着されており、前記各帯状連結体は、前記シート本体の表面に固着された固着部と、前記固着部の側縁に連成されて、前記シート本体の表面から捲り上げることのできる非固着部とを備え、前記内側連結孔は、前記非固着部に形成される構成が提案される。
【００１１】
シート本体の内側寄りに形成される内側連結孔がシート本体を貫通していると、内側連結孔から塗料等が漏出するおそれがあるが、かかる構成では、内側連結孔が、シート本体を貫通することなく形成されるため、内側連結孔から塗料等が漏出するおそれがない。
【００１２】
また、上記構成にあっては、各辺に設けられる前記帯状連結体は、前記シート本体の片面にのみ固着されており、対向する二辺に設けられる一対の前記帯状連結体は、一方が前記シート本体の一面に固着され、他方が前記シート本体の他面に固着されている構成が提案される。
【００１３】
かかる構成とすれば、各辺について、シート本体の両面に帯状連結体を配設しなくても、工事用防護シートを同じ向きで縦横に連結できるため、工事用防護シートに固着する帯状連結体の本数を低減できる。また、かかる構成とした場合でも、工事用防護シートの全ての連結作業を、一面側から行うことができるため、工事用防護シートの連結作業が煩雑となることもない。
【００１４】
また、上記構成にあっては、前記帯状連結体は、合成樹脂糸を編織してなるものであり、前記帯状連結体の前記非固着部は、前記内側連結孔が長手方向に沿って連続的に配列された梯子状をなしている構成が提案される。
【００１５】
外側連結孔と内側連結孔の双方が比較的広い間隔で配列されていると、工事用防護シートの連結部分において、内側連結孔と外側連結孔の配列方向に歪みが生じやすいが、かかる構成にあっては、内側連結孔が連続的に配列されているため、工事用防護シートの連結部分に歪みが生じ難いという利点がある。
【００１６】
また、本発明にあって、前記外側連結孔は、前記シート本体の周縁部に配設されたハトメ金具により形成されている構成が提案される。かかる構成とすれば、外側連結孔を低廉に配設できる。
【発明の効果】
【００１７】
以上に述べたように、本発明の工事用防護シートによれば、シート本体の外側に延出するカバー部材を設けることなく、連結部分の隙間を低減できる。
【図面の簡単な説明】
【００１８】
【図１】工事用防護シート１の表面図である。
【図２】工事用防護シート１の左下部拡大図である。
【図３】工事用防護シート１の縦断面拡大図である。
【図４】工事用防護シート１の使用状態を示す説明図である。
【図５】工事用防護シート１の連結方法を示す説明図である。
【図６】２枚の工事用防護シート１を横方向に連結した状態を示す説明図である。
【図７】工事用防護シート１を縦横に連結する方法を示す説明図である。
【発明を実施するための形態】
【００１９】
本発明の実施形態を、以下の実施例により説明する。
本実施例の工事用防護シート１は、図１に示すように矩形状をなすシートである。なお、図１に示した工事用防護シート１は、縦３ｍ×横１ｍ程度のものであるが、縦横のサイズはこれに限らず、用途に応じて適宜変更可能である。工事用防護シート１のシート本体２は、一枚のメッシュシートによって構成される。便宜上、図面ではシート本体２の網目を粗く表現しているが、シート本体２は、塗料等が透過困難な程度の細かい網目を有している。シート本体２の周縁部には、合成皮革からなる補強材４が全周に亘って縫着される。そして、補強材４によって縁取られた周縁部に、ハトメ金具３が複数配設される。ハトメ金具３は、シート本体２の四隅に１つずつ配設され、さらに、各辺に沿って約２０ｃｍ間隔で配設される。
【００２０】
図１〜３に示すように、シート本体２の各辺には、ハトメ金具３が配設される周縁部よりも１０ｃｍ程度内側寄り位置に、帯状連結体５が夫々縫着される。帯状連結体５は高強度の合成繊維製の糸を編織してなる帯状布である。帯状連結体５は、シート本体２の各辺について片面のみに縫着されており、また、シート本体２の対向する二辺に配設される帯状連結体５は、相異なる面に縫着される。シート本体２の各辺に配設される帯状連結体５は、配設される当該辺の全長に亘って、当該辺と平行に縫着される。このため、シート本体２の片面に縫着される２本の帯状連結体５は、図２に示すように、一方が他方の上に重なるように縫着される。帯状連結体５は、比較的密に編織された長手方向に連続する固着部９と、該固着部９の側縁に連成されて長手方向に連続する梯子状の非固着部１０とからなり、固着部９をシート本体２に縫着されて、非固着部１０はシート本体２の表面から捲り上げられるようになっている。後述するように、梯子状の非固着部１０によって形成される孔８が本発明に係る内側連結孔を構成する。なお、本実施例に係る帯状連結体５には、トヨネン株式会社製のアイメッシュ（登録商標）を採用可能である。
【００２１】
かかる工事用防護シート１は、例えば、図４に示すように、鉄塔Ａの塗装工事に際して、鉄塔Ａの建造物の周囲を覆うように配設して、塗料等の粉末が外部に漏出するのを防止するのに用いられ得る。なお、図４に図示された工事用防護シート１は、縦に３枚、横に８枚連結された上で、鉄塔Ａの周囲に配設されたワイヤー等の支持材Ｂに張設されて、鉄塔Ａの一面側を被覆している。なお、かかる使用方法は単なる一使用例であり、本実施例の工事用防護シート１は、既存の工事用防護シートと同様に、鉄塔Ａを局所的に覆うのにも使用できるし、他の建造物を覆うのにも使用できる。
【００２２】
以下に、工事用防護シート１の連結機構について説明する。図１〜３に示すように、工事用防護シート１の四辺には、各辺に沿って内外二列の連結孔７，８が形成される。すなわち、外側の連結孔７（以下、外側連結孔７とも称す。）は、周縁部に配設されたハトメ金具３によって形成されるものである。内側の連結孔８（以下、内側連結孔８とも称す。）は、周縁部よりも内側寄りに配設された帯状連結体５によって形成されるものである。外側連結孔７は、シート本体２の周縁部を貫通する直径１ｃｍ程度の円形孔であり、シート本体２の各辺と平行に約２０ｃｍ間隔で形成される。これに対して、内側連結孔８は、帯状連結体５の梯子状の非固着部１０に形成された、幅１ｃｍ、長さ２．５ｃｍ程度の矩形孔であり、シート本体２を貫通せずに、１ｃｍ程度の間隔で、シート本体２の各辺と平行に連続的に形成される。
【００２３】
２枚の工事用防護シート１を縦方向又は横方向に連結する際は、お互いの外側連結孔７と内側連結孔８を紐Ｃで連結する。具体的には、連結する２枚の工事用防護シート１を縦方向又は横方向に並置した上で、図５（ａ）に示すように、夫々の縦辺又は横辺の周縁部を所定幅だけ重ねて、お互いの外側連結孔７と内側連結孔８とを近接させる。なお、シート本体２の対向する二辺には、帯状連結体５が相異なる面に縫着されているため、連結する２枚の工事用防護シート１は、同じ向きで縦方向又は横方向に並置すればよい。
【００２４】
続いて、図５（ｂ）に示すように、一方の工事用防護シート１の外側連結孔７と、他方の工事用防護シート１の内側連結孔８とに紐Ｃを通して結束し、夫々の連結孔７，８を連結する。なお、図５（ｂ）では、一対の外側連結孔７と内側連結孔８の連結のみを示しているが、ここでは、一方の工事用防護シート１の一辺に沿って配列された全ての外側連結孔７を、他方の工事用防護シート１の内側連結孔８に連結する。これにより、２枚の工事用防護シート１が縦辺又は横辺の全長に亘って相互連結される。
【００２５】
その後、図５（ｃ）に示すように、他方の工事用防護シート１の外側連結孔７と、一方の工事用防護シート１の内側連結孔８とに紐Ｃを通して結束し、夫々の連結孔７，８を連結する。ここでも、他方の工事用防護シート１の一辺に沿って配列された全ての外側連結孔７を、一方の工事用防護シート１の内側連結孔８に連結する。これにより、２枚の工事用防護シート１は、図６に示すように、周縁部を重ねた状態で、紐Ｃによって表裏両側で相互連結される。
【００２６】
なお、上記の連結方法においては、図５（ｂ）に示す作業を、図５（ｂ）に示すように、一方の工事用防護シート１の周縁部を捲り上げて図中の上方から作業すれば、図５（ｂ）の作業と、図５（ｃ）に示す作業とを、工事用防護シート１の同じ側で効率的に行うことができる。また、上記連結方法は、本実施例の工事用防護シート１の典型的な連結方法であるが、本実施例の工事用防護シート１は、かかる連結方法以外で連結しても構わない。例えば、紐Ｃに限らず、その他の結束具や留め具を用いて、外側連結孔７と内側連結孔８を連結するようにしてもよい。
【００２７】
上記のように、本実施例の工事用防護シート１を、お互いの周縁部を重ね合わせた状態で相互連結すれば、図６に示すように、２枚の連結部分に殆ど隙間がなくなるため、シートの連結部分からの塗料等の漏出を防止できる。また、図６に示すように、工事用防護シート１を一方向に相互連結した時に、両端部に位置する帯状連結体５は相異なる面に配置されることとなるため、さらに、同じ方向に同じ向きの工事用防護シート１を、同様の方法で３枚、４枚、５枚…と連結させることができる。また、図６に示すように、工事用防護シート１を一方向に相互連結した時に、直交方向（図中の上下方向）の一側に位置する帯状連結体５は全て一面側に配置され、直交方向の他側に位置する帯状連結体５は全て他面側に配置される。このため、本実施例では、例えば、図７に示すように、横方向に連結した工事用防護シート１を複数組用意した上で、それらを、縦方向に並置して、上述の方法で相互連結すれば、工事用防護シート１を縦横に連結することができる。したがって、図４に示したように、工事用防護シート１を縦に３枚、横に８枚連結させる場合には、８枚の工事用防護シート１を横方向に連結したものを３組用意して、それらを縦方向に連結すればよい。もちろん、３枚の工事用防護シート１を縦方向に連結したものを８組用意して、それらを横方向に連結してもよい。
【００２８】
以上のように、本実施例の工事用防護シート１は、夫々の周縁部を重ねるように配置して縦横に連結することができるため、複数の工事用防護シート１を縦横に隙間なく連結することができる。したがって、本実施例の工事用防護シート１は、建造物を二重に覆わなくても、塗料等の漏出を適切に防止できる。また、かかる工事用防護シート１は、外側に延出するカバー部材を具備しないため、カバー部材によって漏出を防止する従来の工事用防護シートに比べて、嵩張り難く、収納や運搬が容易であるという利点がある。特に、本実施例では、工事用防護シート１を縦横に連結した際に、工事用防護シート１の四隅で、４枚の工事用防護シートの角部が重なり合うこととなるため、工事用防護シート１の四隅から塗料等が漏出することがない。また、本実施例では、内側連結孔８が帯状連結体５の非固着部１０に形成されており、内側連結孔８はシート本体２を貫通していないため、内側連結孔８を介して塗料等が外部に漏出するおそれもない。
【００２９】
また、本実施例では、シート本体２の対向する二辺について、帯状連結体５が相異なる面に縫着されているため、シート本体２の各辺に対して帯状連結体５を両面に縫着しなくても、工事用防護シート１を同じ向きで縦横に相互連結でき、また、工事用防護シート１の連結作業を一面側から行うこともできる。
【００３０】
また、本実施例では、帯状連結体５の梯子状の非固着部１０によって、内側連結孔８が長手方向に沿って密に配列されているため、外側連結孔７が、低廉なハトメ金具３によって比較的広い間隔で形成されていても、連結孔７，８の配列方向にシート本体２を歪ませることなく、外側連結孔７を内側連結孔８に連結できる。
【００３１】
以上のように、本発明の実施例を説明したが、本発明の工事用防護シートは、上記実施例の形態に限らず本発明の要旨を逸脱しない範囲内において種々変更を加えることができる。
【００３２】
例えば、上記実施例の工事用防護シート１は、シート本体２が１枚のメッシュシートにより構成されているが、本発明に係るシート本体は不織布等により構成されるものであってもよいし、複数種類のシートを複数枚積層してなるものであってもよい。
【００３３】
また、本発明に係る帯状連結体は、実施例の構成に替えて、帯状のペケットで構成してもよい。
【００３４】
また、上記実施例では、外側連結孔７と内側連結孔８の間隔が、上下左右で共通寸法となっているが、外側連結孔７と内側連結孔８の間隔は、上下の間隔と左右の間隔が異なっていてもよい。
【符号の説明】
【００３５】
１  工事用防護シート
２  シート本体
３  ハトメ金具
４  補強材
５  帯状連結体
７  外側連結孔
８  内側連結孔
９  固着部
１０  非固着部
Ａ  鉄塔
Ｂ  支持材
Ｃ  紐
【図１】
2019199785.tif 000003
【図２】
2019199785.tif 000004
【図３】
2019199785.tif 000005
【図４】
2019199785.tif 000006
【図５】
2019199785.tif 000007
【図６】
2019199785.tif 000008
【図７】
2019199785.tif 000009